(57)【要約】      （修正有）【課題】上衣部と、腰巻き状の下衣部と、帯部及び結び部からなる二部式帯部とからなる二部式の浴衣における上記結び部は、折畳状態で結び部となり、展開状態で収納バッグとなる、結び部及び収納バッグに兼用可能な構造となっているから、外出携行時等の非着用時においては、上記結び部を展開して収納バッグに形成することにより、上衣部、下衣部及び二部式帯部などを収納する収納バッグとして使用することができ、浴衣の着用時においては、収納バッグを折り畳んで結び部に形成することができ、上衣部及び下衣部をそれぞれ各別に着用することができる二部式浴衣の提供。【解決手段】上衣部１と、腰巻き状の下衣部２と、帯部３ａ及び結び部からなる二部式帯部３とからなる二部式の浴衣であって、結び部は、折畳状態で結び部となり、展開状態で収納バッグとなる、結び部及び収納バッグに兼用可能な構造となっている。【選択図】図１
0003134050.tif 000002
【実用新案登録請求の範囲】
【請求項１】
上衣部と、腰巻き状の下衣部と、帯部及び結び部からなる二部式帯部とからなる二部式の浴衣であって、上記結び部は、折畳状態で結び部となり、展開状態で収納バッグとなる、該結び部及び該収納バッグに兼用可能な構造となっていることを特徴とする二部式浴衣。
【請求項２】
上記結び部は、展開状態において前面部、底面部、後面部及び左右のマチ部からなる四角箱状の収納バッグに形成され、折り畳み状態において、蝶結び状に形成されることを特徴とする請求項１記載の二部式浴衣。
【請求項３】
上記結び部の上記左右のマチ部及び底面部を内方に折り込んだ状態で前面部及び後面部を重合止着可能な止着手段を設けてなることを特徴とする請求項２記載の二部式浴衣。
【考案の詳細な説明】
【技術分野】
【０００１】
本考案は、上衣部と腰巻き状の下衣部と帯部及び結び部からなる二部式帯部とからなる二部式浴衣に関するものである。
【背景技術】
【０００２】
従来、この種の二部式浴衣として、上衣部と、腰巻き状の下衣部と、帯部及び結び部からなる二部式帯部とからなる構造のものが知られている。
【特許文献１】実用新案登録第３１２６４６６号
【特許文献２】特開２００４−１３７６０８
【特許文献３】特開２００３−８９９０４
【考案の開示】
【考案が解決しようとする課題】
【０００３】
しかしながらこれら従来の二部式浴衣の場合、上衣部及び下衣部をそれぞれ各別に着用することができ、古来からの一体式浴衣に比べて着用が容易であり、裾先が乱れたり、おはしょりが歪んだりすることが少なく、着用後の着崩れが比較的少ないという利点を有するものの、二部式浴衣の構成パーツのうち、特に、結び部が大きく嵩張るため、持ち運びに不便であって、外出時において、例えば、洋服から浴衣に着替えることは容易ではないという不都合を有している。
【課題を解決するための手段】
【０００４】
本考案はこれらの不都合を解決することを目的とするもので、本考案のうちで、請求項１記載の考案は、上衣部と、腰巻き状の下衣部と、帯部及び結び部からなる二部式帯部とからなる二部式の浴衣であって、上記結び部は、折畳状態で結び部となり、展開状態で収納バッグとなる、該結び部及び該収納バッグに兼用可能な構造となっていることを特徴とする二部式浴衣にある。
【０００５】
又、請求項２記載の考案は、上記結び部は、展開状態において前面部、底面部、後面部及び左右のマチ部からなる四角箱状の収納バッグに形成され、折り畳み状態において、蝶結び状に形成されることを特徴とするものであり、又、請求項３記載の考案は、上記結び部の上記左右のマチ部及び底面部を内方に折り込んだ状態で前面部及び後面部を重合止着可能な止着手段を設けてなることを特徴とするものである。
【考案の効果】
【０００６】
本考案は上述の如く、請求項１記載の考案にあっては、上衣部と、腰巻き状の下衣部と、帯部及び結び部からなる二部式帯部とからなる二部式の浴衣における上記結び部は、折畳状態で結び部となり、展開状態で収納バッグとなる、結び部及び収納バッグに兼用可能な構造となっているから、外出携行時等の非着用時においては、上記結び部を展開して収納バッグに形成することにより、上衣部、下衣部及び二部式帯部などを収納する収納バッグとして使用することができ、浴衣の着用時においては、収納バッグを折り畳んで結び部に形成することができ、上衣部及び下衣部をそれぞれ各別に着用することができ、古来からの一体式浴衣に比べて着用が容易であり、裾先が乱れたり、おはしょりが歪んだりすることが少なく、着用後の着崩れが比較的少ないという二部式の浴衣の利点を生かしつつ、加えて、上記結び部は、折畳状態で結び部となり、展開状態で収納バッグとなる、結び部及び収納バッグに兼用可能な構造となっているから、結び部を収納バッグとして使用することができ、収納バッグ内に浴衣並びに小物を収納することができ、持ち運びに便利であり、外出時等においても、容易に浴衣に着替えることができる。
【０００７】
又、請求項２記載の考案にあっては、上記結び部は、展開状態において前面部、底面部、後面部及び左右のマチ部からなる四角箱状の収納バッグに形成され、その折り畳み状態において、蝶結び状に形成されるから、結び部の形態を帯結びに似た良好な蝶結び状に形成することができ、又、請求項３記載の考案にあっては、上記結び部の上記左右のマチ部及び底面部を内方に折り込んだ状態で前面部及び後面部を相互に重合状態で止着可能な止着手段を設けているから、結び部の形態を帯び結びにより形成される結び部に似た良好な蝶結び状に形成することができる。
【考案を実施するための最良の形態】
【０００８】
図１乃至図１２は本考案の実施の形態例を示し、１は上衣部、２は腰巻き状の下衣部、３は帯部３ａ及び結び部３ｂからなる二部式帯部である。
【０００９】
そして、図７の如く、上記結び部３ｂは折畳展開自在な収納バッグＢを兼ねる構造となっている。上記結び部３ｂは、折畳展開自在に形成され、折畳状態で結び部３ｂとなり、展開状態で収納バッグＢとなる、結び部３ｂ及び収納バッグＢに兼用可能な構造となっている。
【００１０】
この場合、図７、図８、図９の如く、上記結び部３ｂは、展開状態において前面部Ｂ1、底面部Ｂ2、後面部Ｂ3及び左右のマチ部Ｂ4・Ｂ4からなる四角箱状の収納バッグＢに形成され、その折り畳み状態において、蝶結び状に形成され、かつ、前面部Ｂ1にポケット部Ｂ5を設け、かつ、前面部Ｂ1及び後面部Ｂ3の内面に手提紐部Ｂ6を取り付けて構成している。
【００１１】
また、この場合、図８の如く、上記結び部３ｂの上記左右のマチ部Ｂ4・Ｂ4及び底面部Ｂ2を内方に折り込んだ状態で前面部Ｂ1及び後面部Ｂ3を相互に重合状態で止着可能なホックや面ファスナーなどの雄雌の止着手段４ａ・４ａをそれぞれに設けている。
【００１２】
この場合、図４、図１１の如く、上記二部式帯部３の帯部３ａの左右両端部に紐部３ｃを取付けると共に中央部に止め紐部３ｄを上方に向けて取付け、止め紐部３ｄの先端部及び帯部３ａにそれぞれ雄雌からなるホックや面ファスナーなどの相互に止着離脱可能な止着手段５ａ・５ａを設けている。
【００１３】
６は締めベルト、７は着付ベルトであって、図４の如く、締めベルト６はゴム弾性を有し、一方端部に雄雌からなるホックや面ファスナーなどの相互に止着離脱可能な止着手段６ａ・６ａのうちの一方の止着手段６ａを取付け、他方の止着手段６ａを片面全面に形成してなり、又、図４、図６の如く、着付ベルト７はゴム弾性を有するベルト材７ａの両端部に両衿部を挟着可能なクリップ材７ｂ・７ｂを取り付けて構成されている。
【００１４】
８は縛りベルトであって、図４、図１１の如く、ホックや面ファスナーなどの相互に止着離脱可能な止着手段を備えてなり、上記折り畳み状態の結び部３ｂの中央部を束ねて蝶結び状に保形するためのものである。
【００１５】
この実施の形態例は上記構成であるから、例えば、図１２の如く、上記結び部３ｂを展開した状態で形成される収納バッグＢ内に、上記上衣部１、腰巻き状の下衣部２、二部式帯部３及び上記締めベルト６等の他の構成パーツを収納して外出し、当該外出した場所において、例えば、洋服から浴衣に着替えるには、まず、例えば、着用者Ｗは現在着用している洋服を脱いだ後、図５の如く、腰巻き状の下衣部２を着用し、次いで、図６の如く、上衣部１を着用し、着付ベルト７により衿部の乱れを防ぎ、次いで、図１０の如く、締めベルト６を巻き付けた上に二部式帯部３の帯部３ａを一回巻いて前側において紐部３ｃで結び付け、一方、上記収納バッグＢを図８の如く折り畳んで束ねて、図９の如く、その中央部を縛りベルト８で縛って二部式帯部３の結び部３ｂを形成し、この結び部３ｂを、図１１の如く、帯部３ａ上に当てた状態で上記止め紐部３ｄを巻き付けて止着手段５ａ・５ａにより帯部３ａに止着し、これにより図１、図２の如く、浴衣を着用することになる。
【００１６】
又、浴衣を脱いで例えば洋服に着替えるには、先ず、結び部３ａを取り去り、この結び部３ａを展開状態にして収納バッグＢを形成し、収納バッグＢ内に上衣部１、下衣部２、二部式帯部３及び上記締めベルト６等の他の構成パーツを収納して携行することになる。
【００１７】
したがって、上衣部１と、腰巻き状の下衣部２と、帯部３ａ及び結び部３ｂからなる二部式帯部３とからなる二部式の浴衣における上記結び部３ｂは、折畳状態で結び部３ｂとなり、展開状態で収納バッグＢとなる、結び部３ｂ及び収納バッグＢに兼用可能な構造となっているから、外出携行時等の非着用時においては、上記結び部３ｂを展開して収納バッグＢに形成することにより上衣部１、下衣部２及び二部式帯部３などを収納する収納バッグＢとして使用することができ、浴衣の着用時においては、収納バッグＢを折り畳んで結び部３ｂに形成することができ、上衣部１及び下衣部２をそれぞれ各別に着用することができ、古来からの一体式浴衣に比べて着用が容易であり、裾先が乱れたり、おはしょりが歪んだりすることが少なく、着用後の着崩れが比較的少ないという二部式の浴衣の利点を生かしつつ、加えて、上記結び部３ｂは、折畳状態で結び部３ｂとなり、展開状態で収納バッグＢとなる、結び部３ｂ及び収納バッグＢに兼用可能な構造となっているから、結び部３ｂを収納バッグＢとして使用することができ、収納バッグＢ内に浴衣並びに小物を収納することができ、持ち運びに便利であり、外出時等においても、容易に浴衣に着替えることができる。
【００１８】
この場合、上記結び部３ｂは、展開状態において前面部Ｂ1、底面部Ｂ2、後面部Ｂ3及び左右のマチ部Ｂ4・Ｂ4からなる四角箱状のトートバック状の収納バッグＢに形成され、その折り畳み状態において、蝶結び状に形成されるから、結び部３ｂの形態を帯結びに似た良好な蝶結び状に形成することができ、又、この場合、上記結び部３ｂの上記左右のマチ部Ｂ4・Ｂ4及び底面部Ｂ2を内方に折り込んだ状態で前面部Ｂ1及び後面部Ｂ3を相互に重合状態で止着可能な止着手段４ａ・４ａを設けているから、結び部３ｂの形態を帯び結びにより形成される結び部に似た良好な蝶結び状に形成することができる。
【００１９】
尚、本考案は上記実施の形態例に限られるものではなく、上衣部１、下衣部２、二部式帯部３の大きさや形態、並びに、結び部３ｂ及び収納バッグＢの大きさや形態等は適宜設計して変更される。
【００２０】
以上、所期の目的を充分達成することができる。
【図面の簡単な説明】
【００２１】
【図１】本考案の実施の形態例の全体正面図である。
【図２】本考案の実施の形態例の全体背面図である。
【図３】本考案の実施の形態例の分離正面図である。
【図４】本考案の実施の形態例の分離正面図である。
【図５】本考案の実施の形態例の使用状態の正面図である。
【図６】本考案の実施の形態例の使用状態の正面図である。
【図７】本考案の実施の形態例の展開状態の斜視図である。
【図８】本考案の実施の形態例の折畳状態の斜視図である。
【図９】本考案の実施の形態例の折畳状態の斜視図である。
【図１０】本考案の実施の形態例の使用状態の背面図である。
【図１１】本考案の実施の形態例の部分断面図である。
【図１２】本考案の実施の形態例の使用状態の斜視図である。
【符号の説明】
【００２２】
Ｂ    収納バッグ
Ｂ1    前面部
Ｂ2    底面部
Ｂ3    後面部
Ｂ4    マチ部
１    上衣部
２    下衣部
３    二部式帯部
３ａ    帯部
３ｂ    結び部
４ａ    止着手段
【図１】
0003134050.tif 000003
【図２】
0003134050.tif 000004
【図３】
0003134050.tif 000005
【図４】
0003134050.tif 000006
【図５】
0003134050.tif 000007
【図６】
0003134050.tif 000008
【図７】
0003134050.tif 000009
【図８】
0003134050.tif 000010
【図９】
0003134050.tif 000011
【図１０】
0003134050.tif 000012
【図１１】
0003134050.tif 000013
【図１２】
0003134050.tif 000014